(57)【特許請求の範囲】
【請求項１】
被搬送物が搬送される空間を複数の区域に区画するように形成されており、隣り合う２つの区域を連通させる通過口を有する防火区画壁と、
前記通過口を挟んで対向配置され、それぞれが当該通過口から遠ざかる方向に延設された一対のレールと、
前記防火区画壁の一方側に設けられ、前記通過口に連通するレール穴と、前記レール穴を開閉可能にする防火扉と、前記防火扉によって前記レール穴が閉鎖された際に当該防火扉が間に位置し、一方が前記通過口を貫通するように対向配置され、それぞれが前記一対のレールと連続するように接続された２つのレールとを有する防火ダンパと、
前記各レール上を走行して、前記被搬送物を前記複数の区域間で搬送する搬送キャリアと、
を有することを特徴とする搬送システム。
【発明の詳細な説明】
【０００１】
【発明が属する技術分野】
本発明は、病院などの施設の防火区画壁の通過口を通して各区域に連続する複数のレールと防火区画壁の通過口を開閉する防火ダンパを設置してなり、各レール上を走行して各区域間で被搬送物を搬送する搬送キャリアを有してなる搬送システムに関する。
【０００２】
【従来の技術】
病院などの施設では、被搬送物（カルテ、Ｘ線写真など）を天井裏などに施工される搬送システムにて搬送することが行なわれている。この搬送システムとしては、図３に示す様に、施設の天井裏などを複数の防火区域Ｂに区画する防火区画壁２１の通過口２２を防火扉２３で開閉する防火ダンパ２４を防火区画壁２１に設置し、又防火扉２３を間に位置させて通過口２２を通して一方の防火区域Ｂに連続する複数のレール２５と、防火扉２３から他方の防火区域Ｂに連続する複数のレール２５を設置してなる。そして、各レール２５上でガイドローラ２６を介して走行する搬送キャリア２７によって、各防火区域Ｂを通してステーション間で被搬送物を搬送するものである。
【０００３】
【発明が解決しようとする課題】
図３の搬送システムは、防火ダンパ２４と各レール２５を別々に製作し、これらを病院などの施設（施工現場）に別々に防火区画壁２１や天井裏へ設置しているので、防火扉２３を開閉するためのレール２５間の隙間ｔを調整して設置することに手間と時間がかかっていた。
【０００４】
また、防火ダンパ２４や各レール２５を別々に製作し、別々に施工するものでは、防火扉２３を開閉させるレール２５間の隙間ｔを管理することが困難となる。従って、各レール２５間の隙間ｔが狭すぎると、防火扉２３の開閉に際してレール２５に接触して異音発生の原因となり、又隙間ｔが広すぎると走行する搬送キャリア２７のガイドローラ２６がレール２５間を介して乗り移る際に振動による騒音発生の原因となる。この様な騒音の発生は、静かな環境が要求される病院などの施設に搬送システムを施工する場合に、極力低減する様に要望されるものである。
【０００５】
本発明の搬送システムは、防火ダンパに予めレールを一体に設けることで、容易に設置でき、騒音発生を低減することにある。
【０００６】
【課題を解決するための手段】
本発明の搬送システムは、予め防火ダンパに防火扉と２つのレールを一体に設けた構成として、防火区画壁に設置する様にしたものである。
予め防火ダンパとレールを一体にして製作すると、病院などの施設での設置の手間、時間を低減できる。
【０００７】
また、予め防火ダンパとレールを一体にして製作すると、防火扉を開閉させるレール間の隙間を容易に一定値（均一化）にできるので、従来の様に病院などの施設への施工時に、隙間が狭くなったり広くなったりして騒音を発生させる原因を低減できる。
【０００８】
【発明の実施の形態】
以下、本発明の実施形態における搬送システムについて、図面を参照しつつ説明する。
【０００９】
図１の搬送システム１は、防火ダンパ２、複数のレール３，７，８及びレール３，７，８上を走行する搬送キャリア４とで構成されている。
【００１０】
防火ダンパ２は、ダンパ本体５の開閉機構（図示しない）で自動開閉させる防火扉６と、予め２本のレール７，８を一体にして製作されたものである。ダンパ本体５には防火扉６で開閉されるレール穴９が形成され、防火扉６に対峙する両側に取付ブラケット１０，１１が取付けられている。尚、レール穴９は搬送キャリア４の通過を可能とするのに十分な開口を有している。
【００１１】
各レール７，８は、防火扉６を間で開閉自在に位置できる一定隙間ｔ０を有して配置されており、レール７がレール穴９内から防火扉６に対峙して取付ブラケット１０にボルト締め固定されている。又レール８は防火扉６を介してレール７に連続する様に取付ブラケット１１にボルト締め固定されている。
【００１２】
この様に、防火ダンパ２に予め２本のレール７，８を一体に設けると、病院などの施設で防火ダンパ２と各レール７，８とを別々に設置するに比して、防火扉６を開閉させるのに必要十分な一定隙間ｔ０を、予めレール７，８間に形成できる。
【００１３】
予めレール７，８が一体化された防火ダンパ２は、病院などの施設の天井裏を複数の防火区域Ｂに区画する防火区画壁１２に設置される。その施設は、一方のレール７を防火区画壁１２の通過口１３を通して一方の防火区域Ｂに連続させ、他方のレール８を防火扉６から他方の防火区域Ｂに連続させ、且つ防火扉６で通過口１３を開閉自在にできる様に防火区画壁１２に取付けられる。尚、通過口１３は搬送キャリア４の通過を可能とするのに十分な開口を有している。
【００１４】
そして、防火ダンパ２の各レール７，８に連続する様に複数のレール３を位置させて、支持部材１４で天井裏の天壁１５に各レール３を支持する。尚、各レール３を天井裏の天壁１５に支持した後に、防火ダンパ２を防火区画壁１２に設置しても良い。
【００１５】
防火ダンパ２と各レール３を設置すると、各レール７，８と各レール３とが連続して各防火区域Ｂに設置される状態となり、この各レール３，７，８で搬送キャリア４を走行自在に支持する。搬送キャリア４は、図２にも示す様に、各レール３，７，８上をガイドローラ１６で走行する台車１７を有し、各レール３，７，８のリニアモータの一次側（固定子）１８に対峙してリニアモータの二次側（移動子）１９が設けられている。又台車１７には、二次側１９と反対側に被搬送物（カルテ、Ｘ線写真など）を収納するコンテナ２０が取付られている。
【００１６】
この台車１７は、リニアモータの一次側１８と二次側１９との間に発生する推力によって各レール３，７，８を走行して各防火区域Ｂを通して各ステーション間に被搬送物を搬送する。また、台車１７が走行して防火ダンパ２に接近すると、図示しない制御装置（コンピュータ）が接近を検出して防火扉６を開くことで、台車１７（コンテナ２０）を防火区画壁１２の通過口１３に通過させる。そして、台車１７が防火区画壁１２の通過口１３を通過すると、上記制御装置は防火扉６を閉じる。
【００１７】
この様に、防火ダンパ２に、予め２つのレール７，８を一体に設ける構成として、防火区画壁１２に設置する様にしたもので、病院などの施設に設置する以前の製造段階において、防火扉６の開閉自在とする一定隙間ｔ０を容易に形成して各レール７，８を一体化でき、病院などの施設への施工の手間、時間を低減することができる。また、病院などの施設への施工前に、上記隙間ｔ０を形成できるので、従来の様に、レール間の隙間の広狭によって発生する騒音を低減することも可能となる。
【００１８】
【発明の効果】
本発明の搬送システムでは、病院などの施設の天井裏などに防火ダンパ、複数のレールなどを施工する際に、防火ダンパに防火扉を間に位置させて予め２つのレールを一体に設け、この防火ダンパを防火区画壁に設置する様にした。
これにより、防火ダンパの防火扉を開閉して各レールと、防火ダンパを別々に設置する必要がなくなり、病院などの施設への施工の手間と時間を短縮して、作業性の効率化を図れる。
【００１９】
また、防火ダンパに２つのレールを一体に設ける構成とすると、病院などの施設への施工前に、製造工場などで防火扉を開閉するのに必要十分な一定隙間を容易に形成して各レールを防火ダンパに取付けできるので、施工のための作業性を向上でき、且つレール間の隙間の広狭による騒音発生を最小限に低減できる。
【００２０】
この結果、静かな環境の要求される病院などの施設に採用しても、騒音の発生を最小限とできる搬送システムを提供できる。
【図面の簡単な説明】
【図１】搬送システムの構成を示す図である。
【図２】搬送システムの搬送キャリアを示す、図１のＡ−Ａ矢視図である。
【図３】従来の搬送システムの構成を示す図である。
【符号の説明】
１  搬送システム
２  防火ダンパ
３，７，８  レール
４  搬送キャリア
６  防火扉
１２  防火区画壁
１３  通過口
【図１】
0004206526.tif 000002
【図２】
0004206526.tif 000003
【図３】
0004206526.tif 000004